(57)【要約】【課題】２つのコネクタによる嵌合形態が適切であるか否かが機械的な構造を目視で確認できるようにする。【解決手段】コネクタ４がコネクタ１のコネクタ挿入孔１０に挿入された場合、目印構造体３が目印軸１８および軸受孔１２による嵌め合い部分を中心として上方に回転してコネクタ１の上面７よりも外側に突出するように押し出され、電気接続端子２１と電気接続端子２７のコネクタ接続部２８とが互いに設定されたとおりに適切に嵌り合うと、目印構造体３の一端面２０とコネクタボディ５の内面とが互いに接触し、目印構造体３の裏面６がコネクタボディ２の上面７と直交し、裏面６が上面７よりも上方に垂直状に立ち上がった機械的な構造を人が目視することで、２つのコネクタ１；４による嵌合形態が適切であることが確認でき、電気接続端子２１と電気接続端子２７との嵌合形態が不適切であると、目印基盤１６の他端部の上面７から上方への突出寸法が小さい。【選択図】図１
2007167157.tif 000002
【特許請求の範囲】
【請求項１】
一方のコネクタにおける合成樹脂からなるコネクタボディが目印構造体を突出可能に備え、一方のコネクタのコネクタボディと他方のコネクタにおける合成樹脂からなるコネクタボディとが互いに機械的に嵌め合わされるのに伴い、一方のコネクタにおける電気接続端子と他方のコネクタにおける電気接続端子とが互いに機械的に嵌め合わされかつ通電可能に接続され、他方のコネクタにおけるコネクタボディが目印構造体を一方のコネクタにおけるコネクタボディより外側に突出するように押し出し、前記一方のコネクタのコネクタボディと他方のコネクタにおけるコネクタボディとの機械的な嵌め合わされが解除されるのに伴い、前記一方のコネクタにおける電気接続端子と他方のコネクタにおける電気接続端子との通電可能な接続が解除され、前記他方のコネクタにおけるコネクタボディによる目印構造体の押し出しが解除され、目印構造体が一方のコネクタにおけるコネクタボディの側に後退されることを特徴とする遊技機のコネクタ嵌合確認装置。
【請求項２】
目印構造体が一方のコネクタにおける合成樹脂からなるコネクタボディに回転可能に取り付けられたことを特徴とする請求項１記載の遊技機のコネクタ嵌合確認装置。
【発明の詳細な説明】
【技術分野】
【０００１】
本発明は、遊技機における２つのコネクタによる嵌合形態が適切であるか否かを目視で確認できる機械的な構造を備えたコネクタ嵌合確認装置に関する。
【背景技術】
【０００２】
遊技機のコネクタ嵌合確認装置には、次の構造が知られている。１つの構造は、係合部が一方のコネクタにおける合成樹脂からなるコネクタボディに設けられ、被係合部が他方のコネクタにおける合成樹脂からなるコネクタボディに設けられ、２つのコネクタが互いに嵌め合わされる場合、係合部と被係合部とが互いに嵌まり合うことによって、２つのコネクタによる相互の嵌合形態が振動で解除されないように保持される。しかしながら、遊技機では、形状の小さなコネクタが多数使用されることから、係合部および被係合部の形状も小さい。そのため、作業者がコネクタを嵌め合わせる場合に、係合部と被係合部とが互いに適切に係合しているか否かを上記作業者が容易かつ確実に目視で確認できないという欠点がある。そして、係合部および被係合部による相互の嵌合形態が不確実である場合、遊技機を運搬する場合の振動や遊技中の振動などの振動によって、２つのコネクタによる相互の嵌合形態が解除されるという不都合が発生する。もう１つの構造は、２つのコネクタが互いに嵌め合わされることによって、検出回路が電気的に構成され、検出回路のＬＥＤが点灯し、検出回路が適切に構成されたことを知らせる。しかしながら、検出回路がコネクタと同じ個数の多数必要となり、消費電力が多くなる他に、２つのコネクタによる相互の嵌合形態が不確実であっても、検出回路が適切に構成され、２つのコネクタ相互間で通電してしまい、その後における振動によって、２つのコネクタによる相互の嵌合形態が解除されるという欠点がある。
【特許文献１】特開２００４−１８１２０３号公報
【特許文献２】特開２００５−８０９０３号公報
【発明の開示】
【発明が解決しようとする課題】
【０００３】
発明が解決しようとする問題点は、２つのコネクタによる相互の嵌合形態が目視で確認できる機械的な構造でないという点である。
【課題を解決するための手段】
【０００４】
本発明に係る遊技機のコネクタ嵌合確認装置は、一方のコネクタにおける合成樹脂からなるコネクタボディが目印構造体を突出可能に備え、一方のコネクタのコネクタボディと他方のコネクタにおける合成樹脂からなるコネクタボディとが互いに機械的に嵌め合わされるのに伴い、一方のコネクタにおける電気接続端子と他方のコネクタにおける電気接続端子とが互いに機械的に嵌め合わされかつ通電可能に接続され、他方のコネクタにおけるコネクタボディが目印構造体を一方のコネクタにおけるコネクタボディより外側に突出するように押し出し、前記一方のコネクタのコネクタボディと他方のコネクタにおけるコネクタボディとの機械的な嵌め合わされが解除されるのに伴い、前記一方のコネクタにおける電気接続端子と他方のコネクタにおける電気接続端子との通電可能な接続が解除され、前記他方のコネクタにおけるコネクタボディによる目印構造体の押し出しが解除され、目印構造体が一方のコネクタにおけるコネクタボディの側に後退されることを最も主要な特徴とする。目印構造体が一方のコネクタにおける合成樹脂からなるコネクタボディに回転可能に取り付けられてもよい。
【発明の効果】
【０００５】
本発明に係る遊技機のコネクタ嵌合確認装置は、一方のコネクタにおける電気接続端子と他方のコネクタにおける電気接続端子とが互いに機械的に嵌め合わされかつ通電可能に接続される場合、他方のコネクタボディが目印構造体を一方のコネクタボディよりも外側に突出するように押し出すので、人が、一方のコネクタボディよりも外側に突出された目印構造体を眼で見ることによって、目印構造体がコネクタボディよりも突出した機械的な構造を目視することで、一方のコネクタと他方のコネクタとから構成される２つのコネクタによる嵌合形態の適切であることを目視で容易に確認できるという利点がある。目印構造体が一方のコネクタにおける合成樹脂からなるコネクタボディに回転可能に取り付けられれば、目印構造体を一方のコネクタボディに簡単に取り付けることができるという利点がある。
【発明を実施するための最良の形態】
【０００６】
図１乃至図３は、発明を実施するための最良の形態である。図１のａ図は、遊技機のコネクタ嵌合確認装置の嵌合形態の断面を示す。図１のｂ図は、遊技機のコネクタ嵌合確認装置を分解して示す。図２のａ図は、一方のコネクタ１および目印構造体３を分解して示す。図２のｂ図は、遊技機のコネクタ嵌合確認装置の分離形態の断面を示す。図３のａ図は、コネクタ嵌合確認装置の設けられたパチンコ遊技機の側面を示す。図３のｂ図は、コネクタ嵌合確認装置の設けられた制御装置３７を遊技盤３６の裏面に設けた断面を示す。本明細書において、「前」、「表」、「後」、「裏」、「左」、「右」、「上」、「下」の方向は、図３のａ図の状態に遊技機枠３５および遊技盤３６を置いて矢印Ａで示す前側から見た場合に特定される方向である。「前」と「表」とは同じ方向である。「後」と「裏」とは同じ方向である。
【０００７】
図１を参照し、遊技機のコネクタ嵌合確認装置の概略構造について説明する。図１のａ図に示すように、一方のコネクタ１における合成樹脂からなるコネクタボディ２が機械的な構造からなる目印構造体３を突出可能に備える。そして、図１のｂ図に示すように、一方のコネクタボディ２と他方のコネクタ４における合成樹脂からなるコネクタボディ５とが互いに嵌め合わされるのに伴い、他方のコネクタボディ５が目印構造体３を一方のコネクタボディ２よりも外側に突出するように押し出す。そして、電気接続端子２１の一端部と電気接続端子２７のコネクタ接続部２８とが互いに設定されたとおりに適切に嵌まり合うことによって、上記突出した目印構造体３の裏面６は、他方のコネクタボディ５の嵌め合わされる矢印Ｘ１で示す方向に対向する面であって、一方のコネクタボディ２の上面７と直交する。よって、人が、一方のコネクタボディ２よりも外側に突出した目印構造体３の裏面６を眼で見ることによって、目印構造体３の裏面６がコネクタボディ２の上面７よりも上方に垂直状に立ち上がった機械的な構造を目視することで、一方のコネクタ１と他方のコネクタ４とから構成される２つのコネクタ１；４による嵌合形態の適切であることを目視で容易に確認できるという利点がある。
【０００８】
図１のｂ図に示すように、一方のコネクタボディ２には、係合部８が凹または孔として設けられる。他方のコネクタボディ５には、被係合部９が突起として設けられる。そして、目印構造体３の裏面６が一方のコネクタボディ２の上面７と直交するように他方のコネクタボディ５で押し出される場合において、係合部８と被係合部９とが互いに係合し、２つのコネクタ１；４による相互の嵌合形態が振動によって解除されないように保持される。係合部８は、目印構造体３の設けられていない側壁に設けたが、これに限定されるものではなく、目印構造体３の設けられた上壁、目印構造体３の設けられていない下壁であってもよい。係合部８が突起として形成され、被係合部９が凹または孔として形成されてもよい。
【０００９】
図２を参照し、遊技機のコネクタ嵌合確認装置の内部構造について説明する。図２のａ図において、一方のコネクタボディ２には、コネクタ挿入孔１０、目印取付孔１１、軸受孔１２が設けられる。コネクタ挿入孔１０は、一方のコネクタボディ２の一端面１３から他端面の側の内部への窪みとして構成される。目印取付孔１１は、一方のコネクタボディ２の外側と内部のコネクタ挿入孔１０とへの貫通孔として、一方のコネクタボディ２の上壁１４に設けられる。一端面１３と上面７とは互いに直交しかつ隣接する２つ面を構成する。軸受孔１２は、目印取付孔１１の相対峙する両側面１５に、両側面１５から一方のコネクタボディ２の内部への窪みとして設けられる。両側面１５の相対峙する方向は、矢印Ｘ１で示すコネクタ挿入方向と直交する。矢印Ｘ１で示すコネクタ挿入方向とは、図２のｂ図の他方のコネクタ４が一方のコネクタ１に嵌め込まれるためにコネクタ挿入孔１０に挿入される方向である。
【００１０】
目印構造体３は、目印基盤１６、衝突突起１７、目印軸１８、異色表皮部１９を備える。目印基盤１６は方形板状である。衝突突起１７は、目印基盤１６の一端面２０の側に寄った位置の下面から下方に突出する。目印軸１８は、目印基盤１６の一端面２０部の側に寄った位置の両側面から両側に突出する。目印軸１８の突出した両側面は、一方のコネクタボディ２における両側面１５と対応する面である。異色表皮部１９は、一方のコネクタボディ２の色や目印構造体３の色と異なる色を有する部材により板状に構成され、目印基盤１６の裏面６に接着剤で付設される。異色表皮部１９は、目印基盤１６の裏面６に絵具を板状に塗布してもよい。目印構造体３は、一方のコネクタボディ２に次のように取り付けられる。衝突突起１７が目印取付孔１１の側に向けられ、目印軸１８が軸受孔１２と対応するように配置され、衝突突起１７が一方のコネクタボディ２の外側から目印取付孔１１に挿入され、目印軸１８が軸受孔１２に嵌め込まれる。よって、目印軸１８がコネクタボディ２の外側から目印取付孔１１を経由して軸受孔１２に押し込まれるように嵌め込まれれば、目印構造体３が一方のコネクタボディ２に取り付けられるので、目印構造体３が一方のコネクタボディ２に簡単に取り付けられるという利点がある。
【００１１】
これによって、図２のｂ図に示すように、異色表皮部１９が一方のコネクタボディ２の外側から見えるように、目印構造体３が一方のコネクタボディ２に目印軸１８および軸受孔１２による嵌め合い部分を中心として回転可能に取り付けられる。目印構造体３が一方のコネクタボディ２に取り付けられた場合、目印基盤１６の他端部および衝突突起１７が下方に向くように、目印構造体３が自重で目印軸１８および軸受孔１２による嵌め合い部分を中心として回転して倒伏状態となり、目印基盤１６の他側部の裏面が一方のコネクタボディ２の上面７の上に接触して受け止められ、目印構造体３がそれ以上下方に回転しないように停止し、衝突突起１７が目印取付孔１１からコネクタ挿入孔１０に突出し、異色表皮部１９の表面が一方のコネクタボディ２の上面７と平行になる。
【００１２】
図２のｂ図において、一方のコネクタボディ２の内部には、電気接続端子２１が埋め込まれて設けられる。電気接続端子２１は、コネクタピンまたはコンタクトピンなどと呼ばれる。電気接続端子２１の一端部は、コネクタボディ２の内部からコネクタ挿入孔１０に突出する。電気接続端子２１の他端部は、コネクタボディ２の内部から他端部の外側に突出する。電気接続端子２１の他端部には、回路基板２２が次のように結合される。回路基板２２は、端子挿入孔２３および回路導体２４を備える。そして、電気接続端子２１の他端部が端子挿入孔２３に挿入されて回路導体２４の一部として構成された部品接続部２５よりも外側に突出し、一方のコネクタボディ２が回路基板２２に接触し、半田２６が電気接続端子２１と部品接続部２５とを互いに機械的に結合しかつ通電可能に接続する。つまり、一方のコネクタボディ２は、電気接続端子２１が一方のコネクタボディ２の内部に埋め込まれ、目印構造体３が回転可能に取り付けられた構造である。
【００１３】
他方のコネクタボディ５の内部には、電気接続端子２７が埋め込まれて設けられる。電気接続端子２７は、コネクタピンまたはコンタクトピンなどと呼ばれる。電気接続端子２７の一端部には、コネクタ接続部２８が、電気接続端子２１の一端部を嵌め込む行き止まり孔として設けられる。コネクタ接続部２８には、電気接続端子２１の一端部が他方のコネクタボディ５に形成されたコネクタ挿入孔２９を経由して接続される。電気接続端子２７の他端部には、電線接続部３０が設けられる。電線接続部３０には、被覆電線３１の導電線３２が他方のコネクタボディ５の外側から他方のコネクタボディ５に形成された配線挿入孔３３を経由して接続される。つまり、他方のコネクタボディ５は、被覆電線３１の接続された電気接続端子２７が他方のコネクタボディ５の内部に埋め込まれた構造である。
【００１４】
図２のｂ図において、一方のコネクタ１のコネクタ挿入孔１０の開口部と他方のコネクタのコネクタ挿入孔２９の開口部とが互いに向き合わされ、他方のコネクタボディ５が一方のコネクタ１のコネクタ挿入孔１０に挿入されるのに伴い、電気接続端子２１の一端部が他方のコネクタのコネクタ挿入孔１０を経由して電気接続端子２７のコネクタ接続部２８に機械的に嵌め込まれて通電可能に接続され、他方のコネクタボディ５が目印構造体３の衝突突起１７を矢印Ｘ１で示す方向に押し出す。これによって、図１のａ図に示すように、目印基盤１６の他端部が目印軸１８および軸受孔１２による嵌め合い部分を中心として上方に回転して一方のコネクタボディ２よりも外側に突出するように押し出され、目印構造体３の一端面２０と他方のコネクタボディ５の上面とが互いに接触する。
【００１５】
図１のａ図において、例えば、他方のコネクタボディ５が矢印Ｘ１で示す方向の逆方向に引っ張られて、一方のコネクタボディ２と他方のコネクタボディ５との機械的な嵌め合わされが解除されるのに伴い、電気接続端子２１と電気接続端子２７との通電可能な接続が解除され、他方のコネクタボディ５による目印構造体３への押し出しが解除され、目印基盤１６の他端部が自重で目印軸１８および軸受孔１２による嵌め合い部分を中心として下方に回転して一方のコネクタボディ２の側に後退する。これによって、図１のｂ図または図２のｂ図に示すように、目印基盤１６の他側部の裏面が一方のコネクタボディ２の上面７の上に接触して受け止められ、目印構造体３がそれ以上下方に回転しないように停止される。上記のように他方のコネクタボディ５が矢印Ｘ１で示す方向の逆方向に引っ張られた場合、図１のｂ図の係合部８と被係合部９との嵌め合いは解除される。
【００１６】
図３を参照し、コネクタ嵌合確認装置の設けられたパチンコ遊技機について説明する。図３のａ図に示すように、パチンコ遊技機は、遊技機枠３５が遊技店の島と呼ばれる図外の遊技機設置構造体に取り付けられ、遊技盤３６が遊技機枠３５の内部に格納され、制御装置３７が遊技盤３６の裏面や遊技機枠３５の裏面に取り付けられ、制御装置３７が電力で起動し、球が遊技機枠３５の前面の球皿部３８に入れられ、遊技者が遊技機枠３５の前面の発射操作機構３９を操作すると、制御装置３７が遊技機枠３５の内部の発射機構４０を発射操作機構３９による操作量に応じた発射力で駆動し、発射機構４０が球皿部３８から供給された球を１個ずつ遊技盤３６の前面における遊技領域に発射する。そして、遊技領域に発射された球が遊技領域を流下する過程で遊技領域の入賞部品４１に入賞すると、遊技機枠３５の裏面の払出機構４２が入賞に対応する賞球としての球を遊技者に払い出すために球皿部３８に払い出すようになっている。
【００１７】
図３のｂ図に示すように、コネクタ嵌合確認装置が遊技盤３６の裏面に設けられた制御装置３７に設けられた場合、回路基板２２が制御筐体４３に内蔵されて止ねじ４４で取り付けられ、制御筐体４３が遊技盤３６の裏面に取り付けられることによって、回路基板２２の板面が遊技盤３６の裏面と平行に配置され、回路基板２２に半田２６で取り付けられた一方のコネクタ１が制御筐体４３に形成されたコネクタ逃避孔４５を制御筐体４３の内部から裏側に貫通し、一方のコネクタ１における上面７が上方に向けられ、一方のコネクタ１におけるコネクタ挿入孔１０の開口部が裏側に向けられる。
【００１８】
図３のｃ図に示すように、他方のコネクタ４が一方のコネクタ１の裏側からコネクタ挿入孔１０に挿入された場合、目印構造体３が目印軸１８および軸受孔１２による嵌め合い部分を中心として上方に回転して一方のコネクタ１の上面７よりも外側に突出するように押し出される。そして、図１のａ図に示すように、電気接続端子２１の一端部と電気接続端子２７のコネクタ接続部２８とが互いに設定されたとおりにて適切に嵌まり合うことによって、目印構造体３の一端面２０と他方のコネクタボディ５の上面とが互いに接触し、目印構造体３の裏面６が一方のコネクタボディ２の上面７と直交した形態となる。最良の形態によれば、目印構造体３がコネクタ１の上壁１４に形成された目印取付孔１１に目印軸１８および軸受孔１２による嵌め合い部分を中心として回転可能に取り付けられ、目印構造体３が自重で目印軸１８および軸受孔１２による嵌め合い部分を中心として回転して倒伏状態となる構造であるので、目印構造体３が一方のコネクタ１に取り付けられる構造が簡単であるという利点がある。
【００１９】
図４を参照し、２つのコネクタ１；４による嵌合形態が不適切である場合について説明する。電気接続端子２１の一端部と電気接続端子２７のコネクタ接続部２８とによる嵌合寸法（電気接続端子２１の一端部と他端部との方向に延びる中心線と平行な方向の寸法）が設定された寸法（図１のａ図に示す形態による寸法）よりも小さいことから、電気接続端子２１の一端部と電気接続端子２７のコネクタ接続部２８とによる嵌合形態が不適切であると、目印基盤１６の他端部がコネクタボディ５で押し出されて目印軸１８および軸受孔１２による嵌め合い部分を中心として上方に回転し、目印構造体３が一方のコネクタボディ２よりも上方に突出するものの、コネクタボディ５による衝突突起１７への押し出し量が少なく、裏面６と上面７との挟角θが鋭角であり、目印基盤１６の他端部の上面７から上方への突出寸法が小さい。よって、人が、一方のコネクタボディ２よりも外側に突出した目印構造体３の裏面６を眼で見ることによって、目印構造体３の裏面６がコネクタボディ２の上面７よりも上方に斜めに突出した機械的な構造を目視することで、一方のコネクタ１と他方のコネクタ４とから構成される２つのコネクタ１；４による嵌合形態の不適切であることを目視で容易に確認できるという利点がある。この場合、図１のｂ図の係合部８と被係合部９とは互いに嵌合していない。
【産業上の利用可能性】
【００２０】
図５は、異なる形態に係る目印構造体３が一方のコネクタ１に取り付けられる構造の断面を示す。図５において、ばね４６が設けられる。ばね４６は、円形部４７、一端係留部４８、他端係留部４９を備える。円形部４７は、線状のばね材が螺旋状に巻かれた形態である。一端係留部４８は、線状のばね材が円形部４７の一端から径方向の外側に直線的に延長された端部を円形部４７の中心線と平行な方向に折り曲げた形態である。他端係留部４９は、線状のばね材が円形部４７の他端から径方向の外側に直線的に延長された端部を円形部４７の中心線と平行な方向に折り曲げた形態である。一端係留部４８の直線的な延長部分および他端係留部４９の直線的な延長部分は、円形部４７から互いに同じ方向に延びる。そして、円形部４７が目印軸１８を取り巻くように目印取付孔１１に配置され、一端係留部４８が目印取付孔１１からコネクタボディ２よりも上方に突出して異色表皮部１９の上面に係留され、他端係留部４９が目印取付孔１１からコネクタ挿入孔１０に突出してコネクタボディ２に係留される。これによって、目印構造体３が目印軸１８および軸受孔１２による嵌め合い部分を中心として回転して倒伏状態となるように、ばね４６が目印構造体３に弾性を与える。したがって、異なる形態は、ばね４６が使用されたことによって、最良の形態よりも、構造が複雑となるものの、目印構造体３を設ける位置がコネクタボディ２の上壁１４に限定されるものではなく、コネクタボディ２の下壁５０または側壁５１に設けることも可能となる。
【図面の簡単な説明】
【００２１】
【図１】ａ図は遊技機のコネクタ嵌合確認装置の適切な嵌合形態の断面図、ｂ図は遊技機のコネクタ嵌合確認装置の分解斜視図（最良の形態）。
【図２】ａ図は一方のコネクタおよび目印構造体の分解斜視図、ｂ図は遊技機のコネクタ嵌合確認装置の分離形態の断面図（最良の形態）。
【図３】ａ図はコネクタ嵌合確認装置の設けられたパチンコ遊技機の側面図、ｂ図はコネクタ嵌合確認装置の設けられた制御装置を遊技盤の裏面に設けて他方のコネクタを分離した断面図。ｃ図はコネクタ嵌合確認装置の設けられた制御装置を遊技盤の裏面に設けて他方のコネクタを嵌合した断面図（最良の形態）。
【図４】遊技機のコネクタ嵌合確認装置の不適切な嵌合形態の断面図（最良の形態）。
【図５】目印構造体が一方のコネクタに取り付けられた断面図（異なる形態）。
【符号の説明】
【００２２】
１    コネクタ
２    コネクタボディ
３    目印構造体
４    コネクタ
５    コネクタボディ
２１  電気接続端子
２７  電気接続端子
【図１】
2007167157.tif 000003
【図２】
2007167157.tif 000004
【図３】
2007167157.tif 000005
【図４】
2007167157.tif 000006
【図５】
2007167157.tif 000007